(57)【要約】【課題】除塵機構部でのエアータイト性能、除塵性能に優れた電気掃除機を提供する。【解決手段】電動送風機室（図示せず）と集塵袋（図示せず）を収納した集塵室（図示せず）とを仕切り開口部４９を有する仕切壁２３と、集塵室内に配され集塵袋に付着した塵埃を除塵する振動板２６と、電源コード（図示せず）を巻き取り収納するコードリール２９の回転に連動して回動する回動レバー３５の回動動作に連動して前後に摺動する摺動レバー３７と、有底略円筒状で開口部４９に嵌着されると共に摺動レバー３７の他端が圧入固定される圧入固定部５０を有する覆部材５１とを備え、摺動レバー３７に連動する圧入固定部５０で振動板２６を駆動するもので、覆部材５１は、有底でしかもその圧入固定部５０が前後に移動するだけなので、気密性に優れ、しかも覆部材５１の側部の肉厚を薄くして、圧入固定部５０の摺動レバー３７への追従性を良くすることができる。【選択図】図７
2008284120.tif 000002
【特許請求の範囲】
【請求項１】
吸引風を発する電動送風機を収納した電動送風機室と、塵埃を捕集する集塵袋を収納した集塵室と、前記電動送風機室と前記集塵室とを仕切ると共に一部に開口部を有する仕切壁と、電源コードを巻き取り収納するコードリールと、前記集塵室内に配され前記集塵袋に付着した塵埃を除塵する振動板と、前記電源コードの少なくとも引き出し時に回転する前記コードリールに連動して回動する回動レバーと、一端が前記回動レバーに係合し、前記回動レバーの回動動作に連動して前後に摺動する摺動レバーと、有底略円筒状で前記開口部に嵌着されると共に前記摺動レバーの他端が圧入固定される圧入固定部を有する覆部材とを備え、前記摺動レバーの摺動動作に連動して前記圧入固定部で前記振動板を駆動するようにしたことを特徴とする電気掃除機。
【請求項２】
摺動レバーの傾きを規制する傾き防止リブを設けた請求項１に記載の電気掃除機。
【請求項３】
摺動レバーの可動範囲を、振動板の可動範囲より広く設定した請求項１又は２に記載の電気掃除機。
【請求項４】
回動レバーに、コードリールに設けた突起リブに当接する当接部を設け、前記当接部と、摺動レバーと、振動板の圧入固定部と当接する振動板動作部を略一直線上に配置した請求項１〜３のいずれか１項に記載の電気掃除機。
【発明の詳細な説明】
【技術分野】
【０００１】
本発明は、集塵袋の内壁に塵埃が付着することによる吸引力の低下を防止できる電気掃除機に関するものである。
【背景技術】
【０００２】
従来のこの種の電気掃除機として、前部に塵埃を集塵する集塵袋を収納した集塵室を配し、仕切壁を介して集塵室と仕切られた後部に吸引風を発する電動送風機を配した本体と、集塵室内の仕切壁の前部に配され集塵袋に振動を加えて集塵袋の内壁に付着した塵埃を叩き落す振動板と、前記電動送風機に電力を供給する電源コードを巻き取り収納すると共に周壁に複数の突起リブを有するコードリールと、本体の底部に回動自在に設けられた加振アーム体を備え、前記加振アーム体の一端は、振動板の下部に連結され、他端に、コードリールの突起リブに当接する当接部を有し、電源コードの引き出し時に、加振アーム体の当接部が、回転するコードリールの複数の突起リブを乗り越え、落下することにより、加振アーム体が回動し、それに伴い振動板も回動し、集塵袋に振動を加えることで、集塵袋の除塵を行なうようにしたものがある（例えば、特許文献１参照）。
【０００３】
図１３は、上記従来の電気掃除機の要部断面図を示すもので、７０は、集塵室７１に配された集塵袋７２に振動を加える振動板で、その下部は、回動自在の加振アーム体７３に放射状に延設された取り付け軸７３ａに着脱自在に取り付けられている。加振アーム体７３には、さらに、先端に当接部７３ｂを有するアーム７３ｃが、前記取り付け軸７３ａと略９０度ずれた位置で放射状に延設されている。
【０００４】
７４は、コードリール７５に設けられ、加振アーム体７３の当接部７３ｂが当接する突起リブである。
【０００５】
集塵室７１の底部には、取り付け軸７３ａが貫通する貫通口７６が設けられ、この貫通口７６と取り付け軸７３ａとの間には、電気掃除機本体の運転時に、その貫通口７６を通して外部から空気が侵入しないようにするために、略ダイヤフラム状のパッキン７７が設けられている。パッキン７７の外周は貫通口７６に装着され、内周は、取り付け軸７３ａに設けた円環状の溝部７３ｄに嵌着されている。
【特許文献１】特開２００６―１４１５９７号公報
【発明の開示】
【発明が解決しようとする課題】
【０００６】
しかしながら、上記従来の電気掃除機の構成では、貫通口７６の内径は、取り付け軸７３ａの回動動作を許容するために大きめに形成されており、そのためパッキン７７の外形も大きくならざるを得ない。このため、空気圧（負圧の集塵室７１側に向かって加わる外気圧）によるパッキン７７に加わるが大きくなり、パッキン７７の内周と取り付け軸７３ａに設けた溝部７３ｄとの間から空気漏れが発生しやすく、塵埃の吸引性能が低下するという課題があった。
【０００７】
この課題を解決する一つの手段として、パッキン７７の厚みを増やすなどして剛性を高めることも考えられるが、これでは、取り付け軸７３ａの回動動作が鈍くなり（動き難くなり）、その結果振動板７０の動きも鈍くなり、集塵袋７２の除塵性能が著しく低下することになるので、好ましくない。
【０００８】
本発明は、上記従来の課題を解決するもので、集塵袋の除塵性能を向上させると共に、除塵機構部でのエアータイトを確実に確保して、吸引性能の低下を防止することができる電気掃除機を提供することを目的とする。
【課題を解決するための手段】
【０００９】
前記従来の課題を解決するために、本発明の電気掃除機は、吸引風を発する電動送風機を収納した電動送風機室と、塵埃を捕集する集塵袋を収納した集塵室と、前記電動送風機室と前記集塵室とを仕切ると共に一部に開口部を有する仕切壁と、電源コードを巻き取り収納するコードリールと、前記集塵室内に配され前記集塵袋に付着した塵埃を除塵する振動板と、前記電源コードの少なくとも引き出し時に回転する前記コードリールに連動して回動する回動レバーと、一端が前記回動レバーに係合し、前記回動レバーの回動動作に連動して前後に摺動する摺動レバーと、有底略円筒状で前記開口部に嵌着されると共に前記摺動レバーの他端が圧入固定される圧入固定部を有する覆部材とを備え、前記摺動レバーの摺動動作に連動して前記圧入固定部で前記振動板を駆動するようにしたもので、覆部材は、有底で、しかも摺動レバーの摺動動作に連動して、圧入固定部が前後に移動するだけなので、気密性に優れ、しかも、覆部材の表面積が従来より小さくなり、更に摺動レバーの端部が、圧入固定部に圧入されているので、外気圧による覆部材の変形が少なくなり、その分、覆部材の側部の肉厚を薄くすることができ、振動板を駆動する圧入固定部の摺動レバーの動きへの追従性が向上し、除塵性能が向上する。
【発明の効果】
【００１０】
本発明の電気掃除機は、集塵袋の除塵性能を向上させると共に、除塵機構部でのエアータイトを確実に確保して、吸引性能の低下を防止することができる。
【発明を実施するための最良の形態】
【００１１】
第１の発明は、吸引風を発する電動送風機を収納した電動送風機室と、塵埃を捕集する集塵袋を収納した集塵室と、前記電動送風機室と前記集塵室とを仕切ると共に一部に開口部を有する仕切壁と、電源コードを巻き取り収納するコードリールと、前記集塵室内に配され前記集塵袋に付着した塵埃を除塵する振動板と、前記電源コードの少なくとも引き出し時に回転する前記コードリールに連動して回動する回動レバーと、一端が前記回動レバーに係合し、前記回動レバーの回動動作に連動して前後に摺動する摺動レバーと、有底略円筒状で前記開口部に嵌着されると共に前記摺動レバーの他端が圧入固定される圧入固定部を有する覆部材とを備え、前記摺動レバーの摺動動作に連動して前記圧入固定部で前記振動板を駆動するようにしたもので、覆部材は、有底で、しかも摺動レバーの摺動動作に連動して、圧入固定部が前後に移動するだけなので、気密性に優れ、しかも、覆部材の表面積が従来より小さくなり、更に摺動レバーの端部が、圧入固定部に圧入されているので、外気圧による覆部材の変形が少なくなり、その分、覆部材の側部の肉厚を薄くすることができ、振動板を駆動する圧入固定部の摺動レバーの動きへの追従性が向上し、除塵性能が向上する。
【００１２】
第２の発明は、特に、第１の発明の摺動レバーの傾きを規制する傾き防止リブを設けたもので、回動レバーの回動動作に連動する摺動レバーの摺動動作が安定し、振動板を確実に駆動して、集塵袋に振動を加えることができる。
【００１３】
第３の発明は、特に、第１又は第２の発明の摺動レバーの可動範囲を、振動板の可動範囲より広く設定したもので、集塵袋が広がり、振動板が後方に押さえつけられるようになっても、電源コードの引出し時に、摺動レバーが最も下がった位置まで摺動したとき、摺動レバーが振動板より後方に位置しているので、摺動レバーが前に摺動したときに、振動板に確実に振動を加え除塵することができ、集塵袋が満杯になるまで、塵埃を吸引することができる。
【００１４】
第４の発明は、特に、第１〜３のいずれか一つの発明の回動レバーに、コードリールに設けた突起リブに当接する当接部を設け、前記当接部と、摺動レバーと、振動板の圧入固定部と当接する振動板動作部を略一直線上に配置したもので、除塵動作を最短距離で伝達できるので、除塵機構部をコンパクトに構成でき、掃除機本体を小型化及び軽量化することができる。
【００１５】
以下、本発明の実施の形態について、図面を参照しながら説明する。なお、この実施の形態によりこの発明が限定されるものではない。
【００１６】
（実施の形態１）
本発明の第１の実施の形態について、図１〜図１２を用いて説明する。
【００１７】
図１〜１２において、掃除機本体１は、手元ハンドル２とホース継ぎ手３付きのホース４とを介して延長管５を連結し、延長管５に取り付けられ塵埃を吸引する吸込具６に連通している。また、掃除機本体１は、前方底面にキャスター７を、後方側面に一対のローラー８を回動自在に備えている。
【００１８】
この掃除機本体１は、下ケース９と上ケース１０とで外郭を構成し、上ケース１０には持ち運び時に握る把手部１１を備えている。この掃除機本体１の後方側に電動送風機１２が配設されており、電動送風機１２は、吸引風を発するもので、前方を防振ゴム前１３で支持し、後方を防振ゴム後ろ１４を介してモーターケース１５とモーターカバー１６により支持されており、下ケース９に装着し固定するようになっている。
【００１９】
掃除機本体１の前方側には、集塵室１７が形成され、集塵室１７上方には、この集塵室１７を開閉自在に閉鎖する集塵蓋１８が設けられており、この集塵室１７内には塵埃を捕集する集塵袋１９が着脱自在に具備されている。
【００２０】
また、集塵蓋１８には隙間用ノズル等のアタッチメントを収納する収納部２０を設け、収納部２０を覆う格納蓋２１が開閉自在に軸支されている。
【００２１】
電動送風機１２を収納する電動送風機室２２と集塵室１７を仕切る仕切壁２３は、下ケース９に設けられており、この仕切壁２３の上方にはパッキン２４が設けられており、パッキン２４にて集塵室１７内の空気タイトを行い気密性を確保している。
【００２２】
電動送風機１２前方の仕切壁２３には連通口２５が設けられており、電動送風機１２と、集塵室１７とが連通するようになっている。
【００２３】
仕切壁２３と集塵袋１９との間には、集塵袋１９を叩いて振動を与える振動板２６を備えた除塵手段２７が設けられている。
【００２４】
電動送風機室２２側には、電動送風機１２に電力を供給する電源コード２８を巻き付けて収納するコードリール２９を備えたコード巻取り装置３０が配設されており、電源コード２８の引き出し時、もしくは、収納動作させることより、前記コードリール２９も回転する構成となっている。
【００２５】
コードリール２９には、略円周状のリブ体３１が形成されており、このリブ体３１は、コードリール２９に形成された複数の突起リブ３２のそれぞれの両端とつながった形状で、コードリール２９の外周の内側に配設されている。
【００２６】
コード巻取り装置３０のコードリール２９は、隔壁体３３に回転自在に軸支されており、この隔壁体３３には、コードリール２９の回転を制止および解放させるブレーキレバー３４が回動自在に軸支されている。
【００２７】
ブレーキレバー３４と隔壁体３３により隔てられた反対側のコードリール２９近傍に、ブレーキレバー３４とほぼ同じ高さで回動軸を形成した回動レバー３５を回動自在に軸支している。回動レバー３５には、コードリール２９に形成した突起リブ３２と当接する当接部３６を略円弧状に形成して設け、振動板２６に振動を加える摺動レバー３７を摺動させる摺動操作部３８と、突起リブ３２との当接を解除する当接解除部３９を形成している。当接部３６と突起リブ３２は隔壁体３３に開口した窓部４０を通して当接する構成としている。
【００２８】
当接部３６には、突起リブ３２との接触による磨耗を防止する磨耗防止体４１をビス等の金属材で設けている。
【００２９】
さらに、当接部３６がリブ体３１又は突起リブ３２に当接する方向へ回動レバー３５を付勢する当接バネ４２を、摺動操作部３８近傍に設けている。
【００３０】
ブレーキレバー３４の上方には、電源コード２８を巻き取る時に操作する操作部４３を備え、操作部４３には、ブレーキレバー３４と連動し、コードリール２９の回転制止を解除するブレーキ解除部４４を形成し、操作部バネ４５により掃除機本体１上方に付勢して設けられている。さらに、操作部４３外周の一部には、当接解除部３９を操作可能にする解除リブ４６を形成している。
【００３１】
また、解除リブ４６と当接解除部３９との距離は、ブレーキ解除部４４とブレーキレバー３４との距離より近い位置で構成している。
【００３２】
摺動レバー３７は、一端に回動レバー３５に設けた摺動操作部３８に係合する係合部４７を、摺動操作部３８を動作方向の前後で挟む形状で形成し、他端に振動板２６に振動を加える振動伝達部４８を形成している。
【００３３】
仕切壁２３には摺動レバー３７を通す開口部４９を設け、摺動レバー３７の振動伝達部４８を覆い、且つ振動伝達部４８と圧入固定する圧入固定部５０を形成した覆部材５１が前記開口部４９に嵌着、固定されている。
【００３４】
覆部材５１は、外周にフランジ状の凸部５２を形成すると共に、圧入固定部５０の肉厚を周辺の肉厚より厚くして、ゴム等の軟質材で形成している。
【００３５】
隔壁体３３には、摺動レバー３７の動作時の傾きを防止する傾き防止リブ５３を形成し、窓部４０、回動レバー３５及び摺動レバー３７を覆うカバー体５４を保持固定している。
【００３６】
カバー体５４は、隔壁体３３と同様に回動レバー３５を軸支する軸受け部を形成し、回動レバー３５を付勢している当接バネ４２を保持している。また、覆部材５１の外れ防止の為、覆部材５１を仕切壁２３との間で挟持する挟持部５５を形成している。さらに、カバー体５４は上ケース１０に形成した保持リブ５６で囲まれている。
【００３７】
一方、集塵室１７内の仕切壁２３に設けた連通口２５の前に振動板２６を軸支した保持枠５７を設け、下ケース９に設けた挿入部５８に着脱自在にセットされている。振動板２６の回動軸５９は保持枠５７の略中央高さ位置に軸支している。
【００３８】
振動板２６には、圧入固定部５０からの振動を受ける振動板動作部６０を設け、振動板動作部６０の略鉛直線上に振動板２６を仕切壁２３側に付勢する振動板バネ６１を保持枠５７との間に備えている。
【００３９】
回動レバー３５に形成した当接部３６と、摺動レバー３７と、振動板２６に形成した振動板動作部６０は、略一直線上に配置している。
【００４０】
保持枠５７には、覆部材５１及び振動板動作部６０を覆う囲い部６２を設け、保持枠５７上端に振動板２６の可動範囲を規制する規制体６３を形成し、振動板動作部６０の可動範囲を、摺動レバー３７の可動範囲より狭くしている。
【００４１】
振動板２６の、集塵袋１９に振動を加え除塵する除塵部６４を振動板２６の上端に複数個形成し、面当たりするように幅広い面を設けている。また、除塵部６４は集塵袋１９に振動を加える時は、保持枠５７より、外側に突出するところまで動作する。回動レバー３５及び摺動レバー３７の周期的な動作により振動板２６の除塵部６４は、保持枠５７から突出する位置と規制体６３の間を周期的に揺動する。
【００４２】
振動板２６または、保持枠５７には取り外し時に指等を引っ掛けることができる引掛け部６５を格子状にして形成している。
【００４３】
以上のように構成された電気掃除機について、以下その動作、作用を説明する。
【００４４】
電源コード２８の引き出し時、コードリール２９に形成された突起リブ３２も回動し、当接部３６が突起リブ３２に乗り上げると、回動レバー３５が回動して、摺動操作部３８が移動し、摺動操作部３８が摺動レバー３７の係合部４７を押して摺動レバー３７が掃除機本体１後方へ摺動する。摺動した振動伝達部４８と共に覆部材５１の圧入固定部５０も後方へ移動し、振動板２６は、振動板動作部６０への覆部材５１の押圧力がなくなる為、振動バネ６１の付勢力により後方へ傾く。
【００４５】
当接部３６が突起リブ３２を乗り越すと衝撃力を持って回動レバー３５が回動し、元の位置に戻るため、摺動レバー３７が覆部材５１と共に前方に素早く摺動し、それに伴い覆部材５１の圧入固定部５０が振動板２６の振動板動作部６０へ衝突する。すると、振動板２６は、集塵袋１９の方へ衝撃力を持って移動し、集塵袋１９に大きな振動を加えるので、集塵袋１９の内部に付着し堆積した塵埃を効率的に除塵でき、吸引風の低下を減少させて集塵性能を向上できる。
【００４６】
以上のように、本実施の形態によれば、吸引風を発する電動送風機１２を収納した電動送風機室２２と、塵埃を捕集する集塵袋１９を収納した集塵室１７と、前記電動送風機室２２と前記集塵室１７とを仕切ると共に一部に開口部４９を有する仕切壁２３と、電源コード２８を巻き取り収納するコードリール２９と、前記集塵室１７内に配され前記集塵袋１９に付着した塵埃を除塵する振動板２６と、前記電源コード２８の少なくとも引き出し時に回転する前記コードリール２９に連動して回動する回動レバー３５と、一端が前記回動レバー３５に係合し、前記回動レバー３５の回動動作に連動して前後に摺動する摺動レバー３７と、有底略円筒状で前記開口部４９に嵌着されると共に前記摺動レバー３７の他端が圧入固定される圧入固定部５０を有する覆部材５１とを備え、前記摺動レバー３７の摺動動作に連動して前記圧入固定部５０で前記振動板２６を駆動するようにしたもので、覆部材５１は、有底で、しかも摺動レバー３７の摺動動作に連動して、圧入固定部５０が前後に移動するだけなので、気密性に優れ、しかも、覆部材５１の表面積が従来より小さくなり、更に摺動レバー３７の端部が、圧入固定部５０に圧入されているので、外気圧による覆部材５１の変形が少なくなり、その分、覆部材５１の側部の肉厚を薄くすることができ、振動板２６を駆動する圧入固定部５０の摺動レバー３７の動きへの追従性が向上し、除塵性能が向上する。
【００４７】
また、摺動レバー３７の傾きを規制する傾き防止リブ５３を設けたので、回動レバー３５の回動動作に連動する摺動レバー３７の摺動動作が安定し、振動板２６を確実に駆動して、集塵袋１９に振動を加えることができる。
【００４８】
また、摺動レバー３７の可動範囲を、振動板２６の可動範囲より広く設定したので、集塵袋１９が広がり、振動板２６が後方に押さえつけられるようになっても、電源コード２８の引出し時に、摺動レバー３７が最も下がった位置まで摺動したとき、摺動レバー３７が振動板２６より後方に位置しているので、摺動レバー３７が前に摺動したときに、振動板２６に確実に振動を加え除塵することができ、集塵袋１９が満杯になるまで、塵埃を吸引することができる。
【００４９】
更に、回動レバー３５に、コードリール２９に設けた突起リブ３２に当接する当接部３６を設け、前記当接部３６と、摺動レバー３７と、振動板２６の圧入固定部５０と当接する振動板動作部６０を略一直線上に配置したので、除塵動作を最短距離で伝達でき、除塵手段２７をコンパクトに構成でき、掃除機本体を小型化及び軽量化することができる。
【００５０】
また、突起リブ３２は、複数個形成されている為、電源コード２８の引き出し時には複数回振動板２６で集塵袋１９に振動を加えることができるので、叩く回数が増し除塵効果の拡大が図れるものとなる。
【００５１】
さらに、摺動レバー３７の係合部４７を、回動レバー３５に形成した摺動操作部３８を前後方向に挟む形状としているので、回動レバー３５の回転動作を水平動作にスムーズに変換でき、摺動操作部３８の動作に対し、スムーズに連動できるので、集塵袋１９の内部に付着し堆積した塵埃を効率的に除塵できる。
【００５２】
また、回動レバー３５はコードリール２９近傍に軸支されていると共に、回動レバー３５に形成した当接部３６と、摺動レバー３７と、振動板２６に形成した振動板動作部６０が、略一直線上に配置しているので、除塵動作を最短距離で伝達することができる。その結果、除塵手段２７をコンパクトに構成でき、掃除機本体を小型化及び軽量化することができる。
【００５３】
コードリール２９に形成されているリブ体３１は、突起リブ３２の両端とつながった形状で形成され、コードリール２９の外周の内側に配設し、回動レバー３５の当接部３６を略円弧状に形成している為、コードリールが回転した時、当接部３６が突起リブ３２に乗り上げられる動作がスムーズとなり、その結果、除塵の際の異音を低減することができる。
【００５４】
また、当接部３６には磨耗を防止する磨耗防止体４１をビス等の金属材で設けている為、急激な磨耗を防止することができ、耐久性に優れ快適な掃除を持続できる。
【００５５】
電源コード２８の巻き取り時、操作部４３を操作すると、解除リブ４６が回動レバー３５の当接解除部３９を操作し、回動レバー３５が回動する。回動レバー３５の当接部３６が突起リブ３２に対し当接しない位置まで離れた状態に移動した直後に、ブレーキ解除部４４がブレーキレバー３４を操作し、コードリール２９の回転制止を解除して、電源コード２８を巻き取る。その結果、電源コード２８の巻き取り時に余分な負荷や騒音が発生せずスムーズに巻き取ることができ、使い勝手を向上できる。
【００５６】
操作部４３に形成した解除リブ４６を、前記操作部４３の外周の一部に形成しているので、従来の操作部と同じ大きさで形成することができ、機能が追加することによる掃除機本体１の大型化を防止でき、快適な掃除を行うことができる。
【００５７】
また、図１２に示すように、電源コード２８引出し時以外の時に除塵したい時、操作部４３を押し下げると、解除リブ４６が回動レバー３５に形成した当接解除部３９に当接して回動レバー３５が回動し、摺動操作部３８が移動し、摺動操作部３８が摺動レバー３７の係合部４７を押して摺動レバー３７が掃除機本体１後方へ摺動する。摺動した振動伝達部４８と共に覆部材５１の圧入固定部５０も後方へ移動し、振動板２６は、振動板動作部６０への覆部材５１の押圧力がなくなる為、振動板バネ６１の付勢力により後方へ傾く。続けて、操作部４３から手を離すと、操作部バネ４５の弾性力により、解除リブ４６の当接解除部３９への当接が解除され、回動レバー３５が当接バネ４２の弾性力により衝撃力を持って回動し、元の位置に戻るため、摺動レバー３７が連動する覆部材５１と共に前方に素早く摺動し、振動板２６の振動板動作部６０へ衝突する。すると、振動板２６は、集塵袋１９の方へ衝撃力を持って移動し、集塵袋１９に大きな振動を加えることができるので、好きなだけ満足いくまで集塵袋１９を除塵することができ、快適な掃除を行うことができる。
【００５８】
また、圧力差のある電動送風機室２２と集塵室１７とで摺動レバー３７が動作しても、覆部材５１が摺動レバー３７を覆い、かつ外周に凸部形状を形成し、仕切壁２３に保持されているので、仕切壁２３に形成した開口部４９への保持固定が確実にでき、通常使用以外の外力が加わっても外れたり、位置ズレすることがないので、集塵室１７内の気密性を常に確保し、摺動レバー３７の動作を妨げることなくスムーズに振動板に伝えることができる。覆部材５１をゴム等の軟質材で形成し、摺動レバー３７を覆い、かつ摺動レバー３７と圧入固定される圧入固定部５０を設けているので、摺動レバー３７の動作を妨げることなくスムーズに振動板２６に伝えることができ、集塵袋１９の内部に付着し堆積した塵埃を効率的に除塵できる。
【００５９】
振動板２６と当接する覆部材５１の先端部の肉厚を、周辺肉厚より厚く形成しているので、繰り返して摺動レバー３７が動作して、覆部材５１の先端部と振動板２６が当接して、先端部が多少磨耗しても、破れて穴があくことがないので、集塵室１７内の気密性を常に確保することができる。
【００６０】
振動板２６の回動軸５９は、保持枠５７の略中央高さ位置に回動自在に軸支しているので、振動板２６を振動させるのに必要なトルクを軽減でき、電源コード２８の引き出し力が軽くなり操作性を向上できると共に、満杯の集塵袋１９を取り出す時に、振動板２６が動くので、引っ掛りなく取り出すことができる。
【００６１】
保持枠５７には、覆部材５１及び振動板動作部６０を覆う囲い部６２を設けているので、集塵袋１９が塵埃で広がったとしても、振動板動作部６０の動作を妨げることなく振動板２６の振動を確実に集塵袋１９に加えることができる。
【００６２】
除塵部６４は面当たりするように幅広い面で複数個形成されおり、保持枠５７から突出する位置と規制体６３の間を周期的に揺動するので、効果的に除塵できる。
【００６３】
振動板２６または、保持枠５７には取り外し時に指等を引っ掛けることができる引掛け部６５を格子状にして形成しているので、取り外しが容易にできる。
【００６４】
保持枠５７は、下ケース９より着脱可能なため、安価な電気掃除機を販売する時等、振動板２６を取り付けていない保持枠５７を取り付け、付け替えるだけで、除塵機構有無でのモデルの差別化が容易にできる。また、回動レバー３５等の除塵手段を取り外すだけで、同様にモデルの差別化が容易にできる。
【産業上の利用可能性】
【００６５】
以上のように、本発明にかかる電気掃除機は、集塵袋の内部に付着し堆積した塵埃を効果的に除塵でき、吸引風の低下を減少して集塵性能を向上させることができると共に、小型化及び軽量化することができるので、家庭、業務用等の電気掃除機に特に有用である。
【図面の簡単な説明】
【００６６】
【図１】本発明の実施の形態１における電気掃除機の全体斜視図
【図２】同電気掃除機の中央断面図
【図３】同電気掃除機の集塵蓋を除いた全体斜視図
【図４】同電気掃除機の部分断面図
【図５】同電気掃除機の除塵手段より隔壁体とカバー体を除いた全体斜視図
【図６】同電気掃除機の除塵手段より隔壁体とカバー体を除いた右側面図
【図７】同電気掃除機の除塵手段の一部を示した部分断面図
【図８】同電気掃除機の操作部周辺部品の斜視図
【図９】同電気掃除機の振動板が最も後方に傾いた状態を示す左側面図
【図１０】同電気掃除機の当接部が突起リブに完全に乗り上げた状態を示す左側面図
【図１１】同電気掃除機の当接部が突起リブを乗り越した状態を示す左側面図
【図１２】同電気掃除機の操作部を押した時の左側面図
【図１３】従来の電気掃除機の要部断面図
【符号の説明】
【００６７】
１    掃除機本体
１２  電動送風機
１９  集塵袋
２３  仕切壁
２６  振動板
２７  除塵手段
２８  電源コード
２９  コードリール
３１  リブ体
３２  突起リブ
３４  ブレーキレバー
３５  回動レバー
３６  当接部
３７  摺動レバー
３８  摺動操作部
４３  操作部
４７  係合部
４９  開口部
５０  圧入固定部
５１  覆部材
【図１】
2008284120.tif 000003
【図２】
2008284120.tif 000004
【図３】
2008284120.tif 000005
【図４】
2008284120.tif 000006
【図５】
2008284120.tif 000007
【図６】
2008284120.tif 000008
【図７】
2008284120.tif 000009
【図８】
2008284120.tif 000010
【図９】
2008284120.tif 000011
【図１０】
2008284120.tif 000012
【図１１】
2008284120.tif 000013
【図１２】
2008284120.tif 000014
【図１３】
2008284120.tif 000015